(57)【要約】【課題】携帯電話機に何度も貼り直しができ、基材表面の傷付きが防止される鏡及び汚れの拭き取りができるクリーナーを提供する。【解決手段】表面側から反射像が見えるように加工されたプラスチックシートを基材１とし、携帯電話機に貼り付けて使用する携帯電話機用鏡において、基材１の裏面に粘着性を有する樹脂から成る粘着剤層２を設け、この粘着剤層２により、携帯電話機６に対し繰り返して着脱できるようにする。また、基材１の表面を保護するカバー３の裏面側に、粘着性を有する樹脂から成る粘着剤層４を設け、この粘着剤層４により、カバー３を基材１の表面に対し繰り返して着脱できるようにする。また、このカバー３の表面側を拭取布４とし、基材１から取り外したカバー３の拭取布４で基材１の表面や携帯電話機６のディスプレイに付着した汚れを拭き取ることができるようにする。【選択図】図２
0003102356.tif 000002
【実用新案登録請求の範囲】
【請求項１】
表面側から反射像が見えるように加工されたプラスチックシートを基材とし、携帯電話機に貼り付けて使用する携帯電話機用鏡において、前記基材の裏面に粘着性を有する樹脂から成る粘着剤層を設け、この粘着剤層により、携帯電話機に対し繰り返して着脱できるようにしたことを特徴とする携帯電話機用鏡。
【請求項２】
表層をなす拭取布の裏面に、粘着性を有する樹脂から成る粘着剤層を設け、前記拭取布として、断面がくさび状部分の集合体となった極めて細い繊維から成るものを使用し、前記粘着剤層により、携帯電話機に対し繰り返して着脱できるようにし、携帯電話機から取り外すと、拭取布で汚れを拭き取れるようにした携帯電話機用クリーナー。
【請求項３】
請求項２に記載のクリーナーを、請求項１に記載の鏡の表面を保護するカバーとして使用し、このカバーを鏡の表面に対し繰り返して着脱できるようにしたことを特徴とする携帯電話機用鏡及びクリーナー。
【考案の詳細な説明】
【技術分野】
【０００１】
この考案は、携帯電話機に貼り付けて持ち歩く鏡と、必要に応じて携帯電話機から取り外して使用する拭取用のクリーナーに関するものである。
【背景技術】
【０００２】
従来、外出先でも必要に応じて自分の姿などを見られるように、常時携帯する携帯電話機に貼り付ける鏡が提案されている。この貼付部材の基材としては、割れやすいガラスを使用すると危険なため、可撓性を有するプラスチックシートを表面側から反射像が見えるように加工したものが使用されている。そして、このプラスチックシートを携帯電話機に固定する手段としては、一般に両面接着テープが使用されている。
【考案の開示】
【考案が解決しようとする課題】
【０００３】
しかしながら、上記のような鏡は、携帯電話機に一旦貼り付けると、剥がすのが困難であり、無理に剥がそうとすると、携帯電話機の表面に接着剤が残ったり、塗装表面の艶がなくなったりする場合がある。
【０００４】
また、プラスチックシートは硬度が低いので、携帯電話機に貼り付けた状態で鞄等に入れて持ち歩くと、基材の表面に多数の傷が付く恐れがあり、埃や油膜も付着しやすいという問題がある。
【０００５】
そこで、この考案は、携帯電話機に何度も貼り直しができ、基材表面の傷付きが防止される鏡及び汚れの拭き取りができるクリーナーを提供することを課題とする。
【課題を解決するための手段】
【０００６】
上記のような課題を解決するため、この考案では、表面側から反射像が見えるように加工されたプラスチックシートを基材とし、携帯電話機に貼り付けて使用する携帯電話機用鏡において、前記基材の裏面に粘着性を有する樹脂から成る粘着剤層を設け、この粘着剤層により、携帯電話機に対し繰り返して着脱できるようにしたのである。
【０００７】
また、拭取用クリーナーは、表層をなす拭取布の裏面に、粘着性を有する樹脂から成る粘着剤層を設け、前記拭取布として、断面がくさび状部分の集合体となった極めて細い繊維から成るものを使用し、前記粘着剤層により、携帯電話機に対し繰り返して着脱できるようにし、携帯電話機から取り外すと、拭取布で汚れを拭き取れるようにしたのである。
【０００８】
また、前記鏡の表面を保護するカバーとして、前記拭取用クリーナーを使用し、このカバーを鏡の表面に対し繰り返して着脱できるようにしたのである。
【考案の効果】
【０００９】
上記のように、この発明に係る鏡は、粘着性を有する樹脂の粘着力により携帯電話機に貼り付けて、携帯電話機に対し繰り返して着脱できるようにしたので、貼付位置をいつでも修正することができ、その際、携帯電話機の表面が損傷することがない。
【００１０】
また、表層を拭取布としたクリーナーは、携帯電話機から取り外して、拭取布で携帯電話機のディスプレイ等に付着した汚れを拭き取ることができる。
【００１１】
また、前記鏡の表面を保護するカバーとして、拭取布を表層としたクリーナーを使用すると、これらを携帯電話機に貼り付けた状態で鞄等に入れて持ち運んでも、鏡の表面が傷付くことがない。
【考案を実施するための最良の形態】
【００１２】
以下、この考案の実施形態を添付図面に基づいて説明する。
【００１３】
図１に示すように、この鏡は、表面側から反射像が見えるように透明なプラスチックシートに金属薄膜を被覆加工したものを基材１とし、その裏面に粘着性を有する樹脂から成る粘着剤層２が設けられている。
【００１４】
基材１の材質としては、ポリカーボネート、ポリエチレンテレフタレート（ＰＥＴ）、塩化ビニルなどが用いられる。粘着剤層２としては、アクリル系粘着剤のシートが使用され、このシートが基材１の裏面に貼り合わされている。
【００１５】
また、この鏡には、基材１の表面を保護するカバー３が備えられている。このカバー３は、拭取布４の裏面にアクリル系粘着剤のシートを貼り付けて粘着剤層５を設けたものとされている。
【００１６】
拭取布４には、断面がくさび状部分の集合体となった極めて細い繊維を原糸とする布地が使用されている。このような布地として、例えば、カネボウ合繊株式会社製のベリーマＸを原糸とするザヴィーナミニマックス（商品名）が挙げられる。
【００１７】
このような鏡を使用する際には、図２に示すように、基材１を粘着剤層２の粘着力により携帯電話機６の裏面に貼り付け、基材１の表面にカバー３を粘着剤層５の粘着力により貼り付ける。
【００１８】
このように、基材１の表面をカバー３で覆うようにすると、携帯電話機に貼り付けた状態で鞄等に入れて持ち運んでも、基材１の表面が傷付くことがない。
【００１９】
また、この鏡は、粘着剤層２の性質により、携帯電話機６に対し繰り返して着脱できるので、貼付位置をいつでも修正することができ、その際、携帯電話機６の表面に接着剤が残ったり、塗装表面の艶がなくなったりする恐れがない。
【００２０】
一方、化粧直し等のため鏡が必要な場合には、基材１からカバー３を取り外して、図３に示すように、基材１の表面を露出させると、その反射像を見ることができる。
【００２１】
また、基材１から取り外したカバー３の拭取布４により、基材１の表面の汚れを拭き取ることができ、さらに、図４に示すように、携帯電話機６のディスプレイに付着した埃や油膜等の汚れを拭き取ることもできる。
【００２２】
なお、粘着剤層５の粘着力を、粘着剤層２の粘着力よりもやや弱く設定しておくと、カバー３を基材１から取り外す際、基材１が携帯電話機６から外れることがない。
【００２３】
また、鏡が不要な場合には、カバー３のみを携帯電話機に貼り付けて使用してもよい。
【図面の簡単な説明】
【００２４】
【図１】この考案の実施形態に係る鏡シートの分解斜視図
【図２】同上の携帯電話への貼付状態を示す斜視図
【図３】同上のカバーを取り外した状態を示す斜視図
【図４】携帯電話機のディスプレイの汚れを拭き取る状態を示す斜視図
【符号の説明】
【００２５】
１  基材
２  粘着剤層
３  カバー
４  拭取布
５  粘着剤層
６  携帯電話機
【図１】
0003102356.tif 000003
【図２】
0003102356.tif 000004
【図３】
0003102356.tif 000005
【図４】
0003102356.tif 000006
【手続補正書】
【提出日】平成16年1月26日(2004.1.26)
【手続補正１】
【補正対象書類名】実用新案登録請求の範囲
【補正対象項目名】全文
【補正方法】変更
【補正の内容】
【実用新案登録請求の範囲】
【請求項１】
表面側から反射像が見えるように加工されたプラスチックシートを基材とし、携帯電話機に貼り付けて使用する携帯電話機用鏡において、前記基材の裏面に粘着性を有する樹脂から成る粘着剤層を設け、この粘着剤層により、携帯電話機に対し繰り返して着脱できるようにしたことを特徴とする携帯電話機用鏡。
【請求項２】
前記基材の表面を着脱自在のカバーで覆ったことを特徴とする請求項１に記載の携帯電話機用鏡。
【請求項３】
前記カバーの表層を、断面がくさび状部分の集合体となった極めて細い繊維から成る拭取布としたことを特徴とする請求項２に記載の携帯電話機用鏡。
【手続補正２】
【補正対象書類名】明細書
【補正対象項目名】全文
【補正方法】変更
【補正の内容】
【考案の詳細な説明】
【技術分野】
【０００１】
この考案は、携帯電話機に貼り付けて持ち歩く鏡と、その表面を保護するカバーに関するものである。
【背景技術】
【０００２】
従来、外出先でも必要に応じて自分の姿などを見られるように、常時携帯する携帯電話機に貼り付ける鏡が提案されている。この貼付部材の基材としては、割れやすいガラスを使用すると危険なため、可撓性を有するプラスチックシートを表面側から反射像が見えるように加工したものが使用されている。そして、このプラスチックシートを携帯電話機に固定する手段としては、一般に両面接着テープが使用されている。
【考案の開示】
【考案が解決しようとする課題】
【０００３】
しかしながら、上記のような鏡は、携帯電話機に一旦貼り付けると、剥がすのが困難であり、無理に剥がそうとすると、携帯電話機の表面に接着剤が残ったり、塗装表面の艶がなくなったりする場合がある。
【０００４】
また、プラスチックシートは硬度が低いので、携帯電話機に貼り付けた状態で鞄等に入れて持ち歩くと、基材の表面に多数の傷が付く恐れがあり、埃や油膜も付着しやすいという問題がある。
【０００５】
そこで、この考案は、携帯電話機に何度も貼り直しができる鏡及びその表面を保護するカバーを提供することを課題とする。
【課題を解決するための手段】
【０００６】
上記のような課題を解決するため、この考案では、表面側から反射像が見えるように加工されたプラスチックシートを基材とし、携帯電話機に貼り付けて使用する携帯電話機用鏡において、前記基材の裏面に粘着性を有する樹脂から成る粘着剤層を設け、この粘着剤層により、携帯電話機に対し繰り返して着脱できるようにしたのである。
【０００７】
また、前記基材の表面を着脱自在のカバーで覆ったのである。
【０００８】
また、前記カバーの表層を、断面がくさび状部分の集合体となった極めて細い繊維から成る拭取布としたのである。
【考案の効果】
【０００９】
上記のように、この発明に係る鏡は、粘着性を有する樹脂の粘着力により携帯電話機に貼り付けて、携帯電話機に対し繰り返して着脱できるようにしたので、貼付位置をいつでも修正することができ、その際、携帯電話機の表面が損傷することがない。
【００１０】
また、前記基材の表面を着脱自在のカバーで覆うと、携帯電話機に貼り付けた状態で鞄等に入れて持ち運んでも、鏡の表面が傷付くことがない。
【００１１】
また、前記カバーの表層を拭取布とすると、基材から取り外したカバーの拭取布で携帯電話機のディスプレイ等に付着した汚れを拭き取ることができる。
【考案を実施するための最良の形態】
【００１２】
以下、この考案の実施形態を添付図面に基づいて説明する。
【００１３】
図１に示すように、この鏡は、表面側から反射像が見えるように透明なプラスチックシートに金属薄膜を被覆加工したものを基材１とし、その裏面に粘着性を有する樹脂から成る粘着剤層２が設けられている。
【００１４】
基材１の材質としては、ポリカーボネート、ポリエチレンテレフタレート（ＰＥＴ）、塩化ビニルなどが用いられる。粘着剤層２としては、アクリル系粘着剤のシートが使用され、このシートが基材１の裏面に貼り合わされている。
【００１５】
また、この鏡には、基材１の表面を保護するカバー３が備えられている。このカバー３は、拭取布４の裏面にアクリル系粘着剤のシートを貼り付けて粘着剤層５を設けたものとされている。
【００１６】
拭取布４には、断面がくさび状部分の集合体となった極めて細い繊維を原糸とする布地が使用されている。このような布地として、例えば、カネボウ合繊株式会社製のベリーマＸを原糸とするザヴィーナミニマックス（商品名）が挙げられる。
【００１７】
このような鏡を使用する際には、図２に示すように、基材１を粘着剤層２の粘着力により携帯電話機６の裏面に貼り付け、基材１の表面にカバー３を粘着剤層５の粘着力により貼り付ける。
【００１８】
このように、基材１の表面をカバー３で覆うようにすると、携帯電話機に貼り付けた状態で鞄等に入れて持ち運んでも、基材１の表面が傷付くことがない。
【００１９】
また、この鏡は、粘着剤層２の性質により、携帯電話機６に対し繰り返して着脱できるので、貼付位置をいつでも修正することができ、その際、携帯電話機６の表面に接着剤が残ったり、塗装表面の艶がなくなったりする恐れがない。
【００２０】
一方、化粧直し等のため鏡が必要な場合には、基材１からカバー３を取り外して、図３に示すように、基材１の表面を露出させると、その反射像を見ることができる。
【００２１】
また、基材１から取り外したカバー３の拭取布４により、基材１の表面の汚れを拭き取ることができ、さらに、図４に示すように、携帯電話機６のディスプレイに付着した埃や油膜等の汚れを拭き取ることもできる。
【００２２】
なお、粘着剤層５の粘着力を、粘着剤層２の粘着力よりもやや弱く設定しておくと、カバー３を基材１から取り外す際、基材１が携帯電話機６から外れることがない。
【図面の簡単な説明】
【００２３】
【図１】この考案の実施形態に係る携帯電話機用鏡の分解斜視図
【図２】同上の携帯電話機への貼付状態を示す斜視図
【図３】同上のカバーを取り外した状態を示す斜視図
【図４】携帯電話機のディスプレイの汚れを拭き取る状態を示す斜視図
【符号の説明】
【００２４】
１  基材
２  粘着剤層
３  カバー
４  拭取布
５  粘着剤層
６  携帯電話機